(57)【要約】【課題】電流計測部を有し、各端末装置の消費電力値を簡易に測定可能な電力監視システム及び電力監視装置を提供すること。【解決手段】複数の電力供給ラインＬを構成する複数の電線と、総電力値Ｐ１、Ｐ２、Ｐ３を計測して出力する積算電力量計５００と、総電力値Ｐ１、Ｐ２、Ｐ３に関する総電力値情報が入力される第１入力部７１０と、複数の電力供給ラインＬそれぞれに対して１つ配置され、電流値を計測して出力する電流計測部６００と、電流値が入力される第２入力部７２０と、総電力値を記憶する第１記憶部７３１と、第２入力部７２０により入力された電流値を記憶する第２記憶部７３５と、第２記憶部７３５に記憶された複数の電流値Ｉ２００の総和に対する各電流値の割合と、第１記憶部７３１に記憶された総電力値Ｐ１、Ｐ２、Ｐ３とに基づいて端末装置が消費した電力値Ｐ３００を算出する処理部７４１と、を備える。【選択図】図４
2010276408.tif 000002
【特許請求の範囲】
【請求項１】
１つの所定の電力供給エリア内に配置された１又は複数の端末装置それぞれにおける消費電力量を測定する電力監視システムであって、
所定の電力を供給する電力供給部と、
前記電力供給部と前記１又は複数の端末装置とを電気的につなぐと共に、前記電力供給部から前記１又は複数の端末装置それぞれまでの１又は複数の電力供給ラインを構成する１又は複数の電線と、
前記電力供給部と前記１又は複数の端末装置との間に接続され、前記１又は複数の端末装置により所定時間において消費された総電力値を計測すると共に、前記総電力値を出力する積算電力量計と、
前記積算電力量計から出力された前記総電力値に関する総電力値情報が入力される第１入力部と、
前記積算電力量計と前記１又は複数の端末装置とをつなぐ前記１又は複数の電線に対して非接触で配置されると共に前記１又は複数の電力供給ラインそれぞれに対して１つ配置され、前記１又は複数の電力供給ラインそれぞれを構成する電線に流れる電流値を計測して出力する１又は複数の電流計測部と、
前記１又は複数の電流計測部から出力された前記電流値が入力される第２入力部と、
前記第１入力部により入力された前記総電力値を記憶する第１記憶部と、
前記第２入力部により入力された前記電流値を記憶する第２記憶部と、
前記第２記憶部に記憶された前記１又は複数の電流値の総和に対する各電流値の割合と、前記第１記憶部に記憶された前記総電力値とに基づいて前記端末装置が消費した所定時間における電力値を算出する処理部と、
を備える電力監視システム。
【請求項２】
前記電流計測部は、前記電線に非接触で配置されるクランプ式電流計である
請求項１に記載の電力監視システム。
【請求項３】
前記複数の端末装置それぞれに接続される前記複数の電線は、分岐接続部を介して前記積算電力量計に接続され、
前記電流計測部は、前記分岐接続部と前記積算電力量計との間の前記電線に配置される
請求項１又は２に記載の電力監視システム。
【請求項４】
前記積算電力量計に流れる総電流値を計測する総電流計測器部と、を更に備える
請求項１から３のいずれかに記載の電力監視システム。
【請求項５】
前記積算電力量計と前記総電力値とを互いに関連付けて記憶すると共に、前記端末装置と前記処理部により算出された前記電力値とを互いに関連付けて記憶する第３記憶部と、
前記第３記憶部に記憶された前記１又は複数の電力値を前記１又は複数の端末装置に対応付けて対比可能に解析処理する解析部と、
前記解析部による解析処理結果を表示する結果表示部と、を備える
請求項１から４のいずれかに記載の電力監視システム。
【請求項６】
前記解析部は、前記電力値の変化を時間変化に基づいて解析処理する
請求項５に記載の電力監視システム。
【請求項７】
前記積算電力量計は、前記複数の電力供給エリアそれぞれに配置され、
前記解析部は、前記複数の電力供給エリアにおける前記複数の電力値を対比可能に解析処理する
請求項５又は６に記載の電力監視システム。
【請求項８】
接続線を介して前記積算電力量計に接続される入力端子部を備え、
前記第１入力部には、前記入力端子部及び前記接続線を介して前記総電力値情報が入力される
請求項１から７のいずれかに記載の電力監視システム。
【請求項９】
前記総電力値を入力可能な入力操作部を備え、
前記第１入力部には、前記入力操作部を介して前記総電力値情報が入力される
請求項１から７のいずれかに記載の電力監視システム。
【請求項１０】
総電力値を含む画像を表示する計測表示部を有する前記積算電力量計の近傍に配置され、前記計測表示部に表示された前記総電力値を含む画像を撮像すると共に、前記総電力値を含む画像の画像情報を出力する撮像部と、
前記撮像部からの前記画像情報を受信する受信部と、
前記受信部により受信された前記画像情報を記憶する第４記憶部と、
前記第４記憶部により記憶された前記画像情報を解析処理して、総電力値の画像情報を総電力値に関する数値情報である総電力値情報に変換する変換部と、を備え、
前記第１入力部には、前記変換部により変換された前記総電力値情報が入力される
請求項１から７のいずれかに記載の電力監視システム。
【請求項１１】
１つの所定の電力供給エリア内に配置された１又は複数の端末装置それぞれにおける消費電力量を測定し、
所定の電力を供給する電力供給部と、
前記電力供給部と前記１又は複数の端末装置とを電気的につなぐと共に、前記電力供給部から前記１又は複数の端末装置それぞれまでの１又は複数の電力供給ラインを構成する１又は複数の電線と、
前記電力供給部と前記１又は複数の端末装置との間に接続され、前記１又は複数の端末装置により所定時間において消費された総電力値を計測すると共に、前記総電力値を出力する積算電力量計と、を備える電力監視システムに用いられる電力監視装置であって、
前記積算電力量計から出力された前記総電力値に関する総電力値情報が入力される第１入力部と、
前記積算電力量計と前記１又は複数の端末装置とをつなぐ前記１又は複数の電線に対して非接触で配置されると共に前記１又は複数の電力供給ラインそれぞれに対して１つ配置され、前記１又は複数の電力供給ラインそれぞれを構成する電線に流れる電流値を計測して出力する１又は複数の電流計測部と、
前記１又は複数の電流計測部から出力された前記電流値が入力される第２入力部と、
前記第２入力部により入力された前記１又は複数の電流値の総和に対する各電流値の割合と、前記第１入力部に入力された前記総電力値とに基づいて前記端末装置が消費した所定時間における電力値を算出する処理部と、
を備える電力監視装置。
【請求項１２】
１つの所定の電力供給エリア内に配置された複数の端末装置それぞれにおける消費電力量を測定すると共に前記電力供給エリア内における消費電力量の不均衡を調整する電力監視システムであって、
複数の電力供給相のうちのいずれかの電力供給相により前記複数の端末装置それぞれに所定の電力を供給する電力供給部と、
前記電力供給部と前記複数の端末装置とを電気的につなぐと共に、前記電力供給部から前記複数の端末装置それぞれまでの複数の電力供給ラインを構成する複数の電線と、
前記電力供給部と前記複数の端末装置との間に接続される積算電力量計と、
前記積算電力量計と前記複数の端末装置とをつなぐ前記複数の電線に対して非接触で配置されると共に前記複数の電力供給ラインそれぞれに対して１つ配置され、前記複数の電力供給ラインそれぞれを構成する電線に流れる電流値を計測して出力する複数の電流計測部と、
前記複数の電流計測部から出力された前記電流値が入力される第２入力部と、
前記第２入力部により入力された前記電流値を記憶する第２記憶部と、
前記複数の電力供給ラインそれぞれに対して１つ配置され、前記複数の端末装置それぞれに電力を供給する電力供給相を一の電力供給相から他の電力供給相に切り替え可能な複数の切り替え部と、
前記第２記憶部により記憶される前記電流値を各電力供給相ごとに加算すると共に各電力供給相における加算結果値を比較して、各電力供給相同士における消費電力量の不均衡を判定する判定部と、
前記判定部による判定結果に基づいて、前記切り替え部を制御する制御部と、
を備える電力監視システム。
【請求項１３】
１つの所定の電力供給エリア内に配置された１又は複数の端末装置それぞれの故障を検知する電力監視システムであって、
複数の電力供給相における全ての電力供給相により前記１又は複数の端末装置それぞれに所定の電力を供給する電力供給部と、
前記電力供給部と前記１又は複数の端末装置とを電気的につなぐと共に、前記電力供給部から前記１又は複数の端末装置それぞれまでの複数の電力供給ラインを構成する複数の電線と、
前記電力供給部と前記１又は複数の端末装置との間に接続される積算電力量計と、
前記積算電力量計と前記１又は複数の端末装置とをつなぐ前記複数の電線に対して非接触で配置されると共に、前記複数の電力供給ラインそれぞれを構成する前記複数の電線に流れる電流値を計測して出力する複数の電流計測部と、
前記複数の電流計測部から出力された前記電流値が入力される第２入力部と、
前記第２入力部により入力された前記電流値を記憶する第２記憶部と、
前記第２記憶部に記憶された前記電流値に基づいて前記１又は複数の端末装置それぞれの故障を検知する故障検知部と、
を備える電力監視システム。
【発明の詳細な説明】
【技術分野】
【０００１】
本発明は、電流計測部を有する電力監視システム及び電力監視装置に関する。
【背景技術】
【０００２】
従来より、環境への配慮の観点から、各設備機器の実際の消費電力を把握することにより、省エネルギーや省電力を図りたいとの意識が高まっている。
ところで、ビル等の比較的大きなエリア全体の消費電力を測定するために、消費電力を測定する積算電力量計が設置されている場合がある。しかし、例えば、個々の設備装置等で消費されている電力については、全体の積算電力量を計測する積算電力量計では把握できない。そのため、個々の設備機器等の消費電力を計測するためには、各設備機器それぞれに対応する電力量計が必要となる。
【０００３】
しかしながら、通常、各設備機器それぞれに対応する電力量計は設置されていないことが多い。また、各設備機器それぞれに対応する電力量計を設置する場合には、設置工事による作業負担や、設置工事の必要性から生じるコストの観点等から、各設備機器それぞれに対応する電力量計を設置することが困難である。そのため、各設備機器等の消費電力を把握することが困難であった。
【０００４】
これに対し、設備機器としての端末装置の電流値を計測して、各端末装置の消費電力を計測する方法が用いられる場合がある。各端末装置の電流値を簡易に測定する測定器として、各端末装置への電力供給線としての電線に直接接続する必要がないクランプ式電流計が提案されている（例えば、特許文献１参照）。
【先行技術文献】
【特許文献】
【０００５】
【特許文献１】特開２０００−１４６５９号公報
【発明の概要】
【発明が解決しようとする課題】
【０００６】
しかしながら、特許文献１のクランプ式電流計は、消費電力を算出する際の電圧値を実際に測定せず、予め設定しておいた電圧値を選択するものである。そのため、実際に消費している消費電力値とは異なる消費電力値が計測される可能性もある。
【０００７】
本発明は、電流計測部を有し、各端末装置の消費電力値を簡易に測定可能な電力監視システム及び電力監視装置を提供することを目的とする。
【課題を解決するための手段】
【０００８】
本発明は、１つの所定の電力供給エリア内に配置された１又は複数の端末装置それぞれにおける消費電力量を測定する電力監視システムであって、所定の電力を供給する電力供給部と、前記電力供給部と前記１又は複数の端末装置とを電気的につなぐと共に、前記電力供給部から前記１又は複数の端末装置それぞれまでの１又は複数の電力供給ラインを構成する１又は複数の電線と、前記電力供給部と前記１又は複数の端末装置との間に接続され、前記１又は複数の端末装置により所定時間において消費された総電力値を計測すると共に、前記総電力値を出力する積算電力量計と、前記積算電力量計から出力された前記総電力値に関する総電力値情報が入力される第１入力部と、前記積算電力量計と前記１又は複数の端末装置とをつなぐ前記１又は複数の電線に対して非接触で配置されると共に前記１又は複数の電力供給ラインそれぞれに対して１つ配置され、前記１又は複数の電力供給ラインそれぞれを構成する電線に流れる電流値を計測して出力する１又は複数の電流計測部と、前記１又は複数の電流計測部から出力された前記電流値が入力される第２入力部と、前記第１入力部により入力された前記総電力値を記憶する第１記憶部と、前記第２入力部により入力された前記電流値を記憶する第２記憶部と、前記第２記憶部に記憶された前記１又は複数の電流値の総和に対する各電流値の割合と、前記第１記憶部に記憶された前記総電力値とに基づいて前記端末装置が消費した所定時間における電力値を算出する処理部と、を備える電力監視システムに関する。
【０００９】
また、前記電流計測部は、前記電線に非接触で配置されるクランプ式電流計であることが好ましい。
【００１０】
また、前記複数の端末装置それぞれに接続される前記複数の電線は、分岐接続部を介して前記積算電力量計に接続され、前記電流計測部は、前記分岐接続部と前記積算電力量計との間の前記電線に配置されることが好ましい。
【００１１】
また、前記積算電力量計に流れる総電流値を計測する総電流計測器部と、を更に備えることが好ましい。
【００１２】
また、前記積算電力量計と前記総電力値とを互いに関連付けて記憶すると共に、前記端末装置と前記処理部により算出された前記電力値とを互いに関連付けて記憶する第３記憶部と、前記第３記憶部に記憶された前記１又は複数の電力値を前記１又は複数の端末装置に対応付けて対比可能に解析処理する解析部と、前記解析部による解析処理結果を表示する結果表示部と、を備えることが好ましい。
【００１３】
また、前記解析部は、前記電力値の変化を時間変化に基づいて解析処理することが好ましい。
【００１４】
また、前記積算電力量計は、前記複数の電力供給エリアそれぞれに配置され、前記解析部は、前記複数の電力供給エリアにおける前記複数の電力値を対比可能に解析処理することが好ましい。
【００１５】
また、接続線を介して前記積算電力量計に接続される入力端子部を備え、前記第１入力部には、前記入力端子部及び前記接続線を介して前記総電力値情報が入力されることが好ましい。
【００１６】
また、前記総電力値を入力可能な入力操作部を備え、前記第１入力部には、前記入力操作部を介して前記総電力値情報が入力されることが好ましい。
【００１７】
また、総電力値を含む画像を表示する計測表示部を有する前記積算電力量計の近傍に配置され、前記計測表示部に表示された前記総電力値を含む画像を撮像すると共に、前記総電力値を含む画像の画像情報を出力する撮像部と、前記撮像部からの前記画像情報を受信する受信部と、前記受信部により受信された前記画像情報を記憶する第４記憶部と、前記第４記憶部により記憶された前記画像情報を解析処理して、総電力値の画像情報を総電力値に関する数値情報である総電力値情報に変換する変換部と、を備え、前記第１入力部には、前記変換部により変換された前記総電力値情報が入力されることが好ましい。
【００１８】
また、１つの所定の電力供給エリア内に配置された１又は複数の端末装置それぞれにおける消費電力量を測定し、所定の電力を供給する電力供給部と、前記電力供給部と前記１又は複数の端末装置とを電気的につなぐと共に、前記電力供給部から前記１又は複数の端末装置それぞれまでの１又は複数の電力供給ラインを構成する１又は複数の電線と、前記電力供給部と前記１又は複数の端末装置との間に接続され、前記１又は複数の端末装置により所定時間において消費された総電力値を計測すると共に、前記総電力値を出力する積算電力量計と、を備える電力監視システムに用いられる電力監視装置であって、前記積算電力量計から出力された前記総電力値に関する総電力値情報が入力される第１入力部と、前記積算電力量計と前記１又は複数の端末装置とをつなぐ前記１又は複数の電線に対して非接触で配置されると共に前記１又は複数の電力供給ラインそれぞれに対して１つ配置され、前記１又は複数の電力供給ラインそれぞれを構成する電線に流れる電流値を計測して出力する１又は複数の電流計測部と、前記１又は複数の電流計測部から出力された前記電流値が入力される第２入力部と、前記第２入力部により入力された前記１又は複数の電流値の総和に対する各電流値の割合と、前記第１入力部に入力された前記総電力値とに基づいて前記端末装置が消費した所定時間における電力値を算出する処理部と、を備える電力監視装置に関する。
【００１９】
また、１つの所定の電力供給エリア内に配置された複数の端末装置それぞれにおける消費電力量を測定すると共に前記電力供給エリア内における消費電力量の不均衡を調整する電力監視システムであって、複数の電力供給相のうちのいずれかの電力供給相により前記複数の端末装置それぞれに所定の電力を供給する電力供給部と、前記電力供給部と前記複数の端末装置とを電気的につなぐと共に、前記電力供給部から前記複数の端末装置それぞれまでの複数の電力供給ラインを構成する複数の電線と、前記電力供給部と前記複数の端末装置との間に接続される積算電力量計と、前記積算電力量計と前記複数の端末装置とをつなぐ前記複数の電線に対して非接触で配置されると共に前記複数の電力供給ラインそれぞれに対して１つ配置され、前記複数の電力供給ラインそれぞれを構成する電線に流れる電流値を計測して出力する複数の電流計測部と、前記複数の電流計測部から出力された前記電流値が入力される第２入力部と、前記第２入力部により入力された前記電流値を記憶する第２記憶部と、前記複数の電力供給ラインそれぞれに対して１つ配置され、前記複数の端末装置それぞれに電力を供給する電力供給相を一の電力供給相から他の電力供給相に切り替え可能な複数の切り替え部と、前記第２記憶部により記憶される前記電流値を各電力供給相ごとに加算すると共に各電力供給相における加算結果値を比較して、各電力供給相同士における消費電力量の不均衡を判定する判定部と、前記判定部による判定結果に基づいて、前記切り替え部を制御する制御部と、を備える電力監視システムに関する。
【００２０】
また、１つの所定の電力供給エリア内に配置された１又は複数の端末装置それぞれの故障を検知する電力監視システムであって、複数の電力供給相における全ての電力供給相により前記１又は複数の端末装置それぞれに所定の電力を供給する電力供給部と、前記電力供給部と前記１又は複数の端末装置とを電気的につなぐと共に、前記電力供給部から前記１又は複数の端末装置それぞれまでの複数の電力供給ラインを構成する複数の電線と、前記電力供給部と前記１又は複数の端末装置との間に接続される積算電力量計と、前記積算電力量計と前記１又は複数の端末装置とをつなぐ前記複数の電線に対して非接触で配置されると共に、前記複数の電力供給ラインそれぞれを構成する前記複数の電線に流れる電流値を計測して出力する複数の電流計測部と、前記複数の電流計測部から出力された前記電流値が入力される第２入力部と、前記第２入力部により入力された前記電流値を記憶する第２記憶部と、前記第２記憶部に記憶された前記電流値に基づいて前記１又は複数の端末装置それぞれの故障を検知する故障検知部と、を備える電力監視システムに関する。
【発明の効果】
【００２１】
本発明によれば、電流計測部を有し、各端末装置の消費電力値を簡易に測定可能な電力監視システム及び電力監視装置を提供することができる。
【図面の簡単な説明】
【００２２】
【図１Ａ】第１実施形態における電力監視システムＳの概略について説明する図である。
【図１Ｂ】第１実施形態における電力監視システムＳの電力供給ライン群Ｌを説明する摸式的な図である。
【図２】第１実施形態における第１部屋Ｒ１について説明する図である。
【図３】第１実施形態におけるコンセント群４００に接続された端末装置群３００が消費する電流をクランプ式電流計群６００で計測する図である。
【図４】第１実施形態における電力監視システムＳの機能ブロック図である。
【図５】第１実施形態における電力監視システムＳにおける電力監視装置１に表示されるグラフの一例を示す図である。
【図６】第２実施形態における積算電力量計５１０の計測表示部８００の数字データをカメラ８１０の撮像により総電力値Ｐ１に変換する構成を説明する図である。
【図７】第２実施形態における電力監視システムＳの機能ブロック図である。
【図８】第３実施形態における電力監視システムＳの機能ブロック図である。
【図９】第４実施形態における電力監視システムＳの機能ブロック図である。
【図１０】その他の実施形態における電力監視システムＳの機能ブロック図である。
【発明を実施するための形態】
【００２３】
以下、図面を参照して本発明の実施形態について説明する。
図１Ａから図５により電力監視システムＳについて説明する。図１Ａは、第１実施形態における電力監視システムＳの概略について説明する図である。図１Ｂは、第１実施形態における電力監視システムＳの電力供給ラインＬ群を説明する模式的な図である。図２は、第１実施形態における第１部屋Ｒ１について説明する図である。図３は、第１実施形態におけるコンセント群４００に接続された端末装置群３００が消費する電流をクランプ式電流計群６００で計測する図である。図４は、第１実施形態における電力監視システムＳの機能ブロック図である。図５は、第１実施形態における電力監視システムＳにおける電力監視装置１に表示されるグラフの一例を示す図である。
【００２４】
図１Ａに示すように、電力監視システムＳは、ビルＢにおいて複数の電力供給エリアとしての所定の部屋Ｒ１、Ｒ２、Ｒ３に配置された端末装置群３００と、それぞれに所定の電力を供給する複数の電力供給部１１０、１２０、１３０と、電線群２００と、複数の電力供給部１１０、１２０、１３０と端末装置群３００との間に接続される積算電力量計群５００と、端末装置群３００を接続可能なコンセント群４００と、電力監視装置１と、を備える。
【００２５】
複数の電力供給部１１０、１２０、１３０は、第１部屋Ｒ１に電力を供給する第１電力供給部１１０と、第２部屋Ｒ２に配置される第２電力供給部１２０と、第３部屋Ｒ３に配置される第３電力供給部１３０と、を有する。複数の電力供給部１１０、１２０、１３０は、ビルＢの外部から供給される電力を単相３線式の配電方式により端末装置群３００へ供給する。複数の電力供給部１１０、１２０、１３０それぞれは、複数の電線２１０ａ、２２０ａ、２３０ａを介して積算電力量計群５００に接続される。
【００２６】
積算電力量計群５００は、第１部屋Ｒ１に配置される第１積算電力量計５１０と、第２部屋Ｒ２に配置される第２積算電力量計５２０と、第３部屋Ｒ３に配置される第３積算電力量計５３０と、を有する。積算電力量計群５００は、ビルＢの複数の所定の部屋Ｒ１、Ｒ２、Ｒ３それぞれにおける積算電力値Ｐ１、Ｐ２、Ｐ３それぞれを計測して出力する。
【００２７】
図１Ｂに示すように、電線群２００は、電力供給部１１０、１２０、１３０と端末装置群３００とを電気的につなぐように構成される。電線群２００は、電力供給部１１０、１２０、１３０から端末装置群３００それぞれまでの１又は複数の電力供給ライン群Ｌを構成する。
【００２８】
本実施形態においては、第１部屋Ｒ１において、第１エアコン電力供給ラインＬ３１１は、第１電力供給部１１０と第１エアコン３１１とを電気的につなぐ。同様に、第１パソコン電力供給ラインＬ３１２、電灯電力供給ラインＬ３１３、第１テレビ電力供給ラインＬ３１４、冷蔵庫電力供給ラインＬ３１５それぞれは、第１電力供給部１１０と、第１パソコン３１２、電灯３１３、第１テレビ３１４、冷蔵庫３１５それぞれと、を電気的につなぐ。
【００２９】
具体的には、第１エアコン電力供給ラインＬ３１１は、第１電力供給部１１０側から、電線２１０ａ、２１０ｂ、２１１により構成される。また、第１パソコン電力供給ラインＬ３１２、電灯電力供給ラインＬ３１３、第１テレビ電力供給ラインＬ３１４、冷蔵庫電力供給ラインＬ３１５それぞれは、第１電力供給部１１０側から、共通の構成要素である電線２１０ａ、２１０ｂと、電線２１２、２１３、２１４、２１５それぞれと、により構成される。
【００３０】
また、第２部屋Ｒ２において、第２Ａパソコン電力供給ラインＬ３２１、第２エアコン電力供給ラインＬ３２２、第２Ｂパソコン電力供給ラインＬ３２３、第２テレビ電力供給ラインＬ３２４それぞれは、第２電力供給部１２０と、第２Ａパソコン３２１、第２エアコン３２２、第２Ｂパソコン３２３、第２テレビ３２４それぞれと、を電気的につなぐ。
【００３１】
具体的は、第２Ａパソコン電力供給ラインＬ３２１、第２エアコン電力供給ラインＬ３２２それぞれは、第２電力供給部１２０側から、共通の構成要素である電線２２０ａ、２２０ｂ、２２１と、電線２２１ａ、２２１ｂそれぞれと、により構成される。また、第２Ｂパソコン電力供給ラインＬ３２３、第２テレビ電力供給ラインＬ３２４それぞれは、第２電力供給部１２０側から、共通の構成要素である電線２２０ａ、２２０ｂと、電線２２２、２２３それぞれと、により構成される。
【００３２】
また、第３部屋Ｒ３において、第３Ａパソコン電力供給ラインＬ３３１、第３Ｂパソコン電力供給ラインＬ３３２、第３Ｃパソコン電力供給ラインＬ３３３、第３Ｄパソコン電力供給ラインＬ３３４、第３Ｅパソコン電力供給ラインＬ３３５、第３Ｆパソコン電力供給ラインＬ３３６、第３エアコン電力供給ラインＬ３３７それぞれは、第３電力供給部１３０と、第３Ａパソコン３３１、第３Ｂパソコン３３２、第３Ｃパソコン３３３、第３Ｄパソコン３３４、第３Ｅパソコン３３５、第３Ｆパソコン３３６、第３エアコン３３７それぞれと、を電気的につなぐ。
【００３３】
具体的には、第３Ａパソコン電力供給ラインＬ３３１、第３Ｂパソコン電力供給ラインＬ３３２、第３Ｃパソコン電力供給ラインＬ３３３は、第３電力供給部１３０側から、共通の構成要素である電線２３０ａ、２３０ｂ、２３１と、電線２３１ａ、２３１ｂ、２３１ｃそれぞれと、により構成される。また、第３Ｄパソコン電力供給ラインＬ３３４、第３Ｅパソコン電力供給ラインＬ３３５、第３Ｆパソコン電力供給ラインＬ３３６それぞれは、第３電力供給部１３０側から、共通の構成要素である電線２３０ａ、２３０ｂ、２３２と、電線２３２ａ、２３２ｂ、２３２ｃそれぞれと、により構成される。また、第３エアコン電力供給ラインＬ３３７は、第３電力供給部１３０側から、電線２３０ａ、２３０ｂ、２３３により構成される。
【００３４】
図１Ａに示すように、コンセント群４００は、端末装置群３００を接続可能な接続部として機能すると共に、分岐部として機能する。コンセント群４００それぞれには、端末装置群３００が接続される。なお、本発明に係る電力監視システムＳにおいては、コンセントに端末装置が接続されていなくてもよい。
【００３５】
端末装置群３００は、第１部屋Ｒ１に配置される第１端末装置群３１０と、第２部屋Ｒ２に配置される第２端末装置群３２０と、第３部屋Ｒ３に配置される第３端末装置群３３０と、を有する。
端末装置群３００を中心とする各部屋Ｒ１、Ｒ２、Ｒ３毎の構成の詳細については後に詳述する。
【００３６】
図２及び図４に示すように、電力監視装置１は、電力監視システムＳに用いられる電力量を測定する装置である。電力監視装置１は、電力監視装置本体１ａと、電流計測部としてのクランプ式電流計群６００と、を有する。
図４に示すように、電力監視装置本体１ａは、第１入力部７１０と、第２入力部７２０と、入力端子部としての第１入力端子部７１１と、第２入力端子部７２１と、入力操作部７１２と、第１記憶部７３１と、第２記憶部７３５と、第３記憶部７３６と、処理部７４１と、解析部７４２と、結果表示部７５０と、を備える。
【００３７】
図１Ａ及び図２に示すように、電力監視装置１におけるクランプ式電流計群６００は、有線又は無線で電力監視装置本体１ａに接続される。本実施形態においては、クランプ式電流計群６００は、接続線としての第２ケーブル７を介して電線群２００に配置される。クランプ式電流計群６００は、電線群２００における電線それぞれに流れる所定時間における電流値群Ｉ２００を測定する。クランプ式電流計群６００で測定した電流値群Ｉ２００は、クランプ式電流計の内部で所定の処理がされることにより電流値データとなる。ここで、電線群２００における電線それぞれに流れる電流値は、電線に接続される端末装置が消費する電流値と一致する。従って、端末装置に接続される電線に流れる電流値を測定することにより、所定の電線に対応する所定の端末装置が消費する電流値を求めることができる。
【００３８】
本実施形態においては、クランプ式電流計それぞれは、電線群２００における電線それぞれに非接触で配置されるクランプ式の電流計により構成される。クランプ式電流計群６００は、電線群２００に流れる電流値群Ｉ２００を計測することにより、端末装置群３００が消費する電流値群Ｉ２００を計測する。計測された電流値群Ｉ２００は、第２ケーブル７を介して電力監視装置本体１ａへ出力される。そして、第２入力部７２０には、クランプ式電流計群６００により計測された電流値群Ｉ２００それぞれが第２入力端子部７２１を介して入力される。
【００３９】
図４に示すように、第１入力部７１０には、積算電力量計５１０、５２０、５３０それぞれの合計の総電力値Ｐ１、Ｐ２、Ｐ３の数値データそれぞれが第１入力端子部７１１を介して入力される。また、入力操作部７１２は、例えば、手入力等の操作により、積算電力量計５１０、５２０、５３０それぞれの合計の総電力値Ｐ１、Ｐ２、Ｐ３の数値データを第１入力部７１０に入力するためのインターフェースとして機能する。
【００４０】
なお、本実施形態においては、第１入力部７１０には、第１入力端子部７１１を介して数値データが入力されると共に、入力操作部７１２を介して数値データが入力される構成としているが、これに限定されない。第１入力部７１０に数値データが入力される態様として、第１入力端子部７１１を介してのみ数値データが入力される態様又は入力操作部７１２を介してのみ数値データが入力される態様のいずれか一方の態様であってもよい。
【００４１】
第１記憶部７３１は、第１入力部７１０により入力された総電力値Ｐ１、Ｐ２、Ｐ３を記憶する。第２記憶部７３５は、第２入力部７２０により入力された電流値群Ｉ２００を記憶する。第３記憶部７３６は、積算電力量計５１０、５２０、５３０と総電力値Ｐ１、Ｐ２、Ｐ３とを関連付けて記憶する。また、第３記憶部７３６は、端末装置群３００と処理部７４１により算出された電力値Ｐとを関連付けて記憶する。
【００４２】
処理部７４１は、第１記憶部７３１に記憶された総電力値Ｐ１、Ｐ２、Ｐ３と第２記憶部７３５とに記憶された電流値群Ｉ２００に基づいて端末装置群３００が消費する所定時間における電力値群Ｐ３００を算出する。
結果表示部７５０は、第３記憶部７３６に記憶された電力値Ｐを解析処理する解析部７４２による解析処理結果を表示する。
【００４３】
ここで、各部屋Ｒ１、Ｒ２、Ｒ３の構成について、電線群２００、電線群２００に接続される端末装置群３００、その電線群２００に流れる端末装置群３００の消費電流としての電流値群Ｉ２００及びクランプ式電流計群６００を中心に更に詳述する。
まず、図１Ａ及び図２により、第１部屋Ｒ１における構成について詳細に説明する。
図１に示すように、第１部屋Ｒ１には、第１電力供給部１１０により電力が供給される。第１電力供給部１１０には、第１端末装置群３１０が電線群２１０を介して接続される。第１部屋Ｒ１における第１端末装置群３１０は、第１エアコン３１１と、第１パソコン３１２と、電灯３１３と、第１テレビ３１４と、冷蔵庫３１５と、を備える。第１部屋Ｒ１における第１端末装置群３１０には、電線群２１０を介して電力供給部１１０から所定の電力が供給される。
【００４４】
第１積算電力量計５１０は、第１電力供給部１１０と第１端末装置群３１０との間に配置され、第１部屋Ｒ１における第１端末装置群３１０により消費される所定時間における合計の総電力値Ｐ１を計測する。第１積算電力量計５１０の一次側（電力を供給する側）には、電線２１０ａを介して第１電力供給部１１０が接続される。第１積算電力量計５１０の二次側（第１端末装置群３１０側）には、電線２１０ｂを介して第１端末装置群３１０が接続される。
【００４５】
第１積算電力量計５１０の二次側に接続される電線２１０ｂは、途中で５本の電線２１１、２１２、２１３、２１４、２１５に分岐される。分岐された５本の電線２１１、２１２、２１３、２１４、２１５それぞれは、５つのコンセント４１１、４１２、４１３、４１４、４１５それぞれに接続される。そして、５つのコンセント４１１、４１２、４１３、４１４、４１５それぞれには、第１エアコン３１１、第１パソコン３１２、電灯３１３、第１テレビ３１４及び冷蔵庫３１５それぞれが接続される。
【００４６】
図１Ａ、図１Ｂ及び図２に示すように、第１部屋Ｒ１において、クランプ式電流計６１１は、第１エアコン電力供給ラインＬ３１１に対して１つ配置される。具体的には、クランプ式電流計６１１は、第１エアコン電力供給ラインＬ３１１の電線２１１に対して配置される。クランプ式電流計６１１は、電線２１１に対して配置されることにより、電線２１１に流れる電流値Ｉ２１１を計測する。電線２１１に所定時間に流れる電流値Ｉ２１１は、電線２１１に接続される第１エアコン３１１が所定時間に消費する電流値と一致する。
【００４７】
また、同様に、クランプ式電流計６１２、６１３、６１４、６１５それぞれは、第１パソコン電力供給ラインＬ３１２、電灯電力供給ラインＬ３１３、第１テレビ電力供給ラインＬ３１４、冷蔵庫電力供給ラインＬ３１５それぞれに対して１つ配置される。具体的には、クランプ式電流計６１２、６１３、６１４、６１５それぞれは、電線２１２、２１３、２１４、２１５それぞれに対して配置される。クランプ式電流計６１２、６１３、６１４、６１５それぞれは、第１パソコン３１２、電灯３１３、第１テレビ３１４及び冷蔵庫３１５が消費する電流値Ｉ２１２、Ｉ２１３、Ｉ２１４、Ｉ２１５それぞれを計測する。
【００４８】
また、総電流計測器部としてのクランプ式総電流計６１０は、電線２１０ｂに対して配置される。クランプ式総電流計６１０は、第１部屋Ｒ１における積算電力量計５１０に接続される第１端末装置群３１０が所定時間に消費する総電流値Ｉ２１０ｂを計測する。
【００４９】
ここで、第１部屋Ｒ１における電線２１０ｂは、５本の電線２１１、２１２、２１３、２１４、２１５に分岐している。そのため、電線２１０ｂに流れる総電流値Ｉ２１０ｂは、（１）式によって表される。
Ｉ２１０ｂ＝Ｉ２１１＋Ｉ２１２＋Ｉ２１３＋Ｉ２１４＋Ｉ２１５・・・（１）
【００５０】
次に、Ａ１及び図３により、第２部屋Ｒ２における構成について説明する。
図１Ａに示すように、第２部屋Ｒ２における構成は、第１部屋Ｒ１における構成とは、第２端末装置群３２０の構成及び電線群２２０の配線構成の点で異なる。
第２部屋Ｒ２には、第２電力供給部１２０により電力が供給される。電力供給部１２０には、第２端末装置群３２０が電線群２２０を介して接続される。第２部屋Ｒ２における第２端末装置群３２０は、第２Ａパソコン３２１と、第２エアコン３２２と、第２Ｂパソコン３２３と、第２テレビ３２４と、を備える。第２部屋Ｒ２における第２端末装置群３２０には、電線群２２０を介して電力供給部１２０から所定の電力が供給される。
【００５１】
第２積算電力量計５２０は、第２電力供給部１２０と第２端末装置群３２０との間に配置され、第２部屋Ｒ２における第２端末装置群３２０により消費される所定時間における合計の総電力値Ｐ２を計測する。第２積算電力量計５２０の一次側（電力を供給する側）には、電線２２０ａを介して第２電力供給部１２０が接続される。第２積算電力量計５２０の二次側（第２端末装置群３２０側）には、電線２２０ｂを介して第２端末装置群３２０が接続される。
【００５２】
第２積算電力量計５２０の二次側に接続される電線２２０ｂは、途中で３本の電線２２１、２２２、２２３に分岐される。分岐された３本の電線２２１、２２２、２２３それぞれは、第３Ａコンセント４２１、第３Ｂコンセント４２２、第３Ｃコンセント４２３それぞれに接続される。
【００５３】
図３に示すように、分岐接続部としての第２Ａコンセント４２１には、２本の電線２２１ａ、２２１ｂが接続される。第２Ａコンセント４２１は、１本の電線２２１を２本の電線２２１ａ、２２１ｂに分岐する分岐接続部として機能する。一方の電線２２１ａは、第２Ａパソコン３２１における第２Ａコンセント４２１への接続線として構成される。他方の電線２２１ｂは、第２エアコン３２２における第２Ａコンセント４２１への接続線として構成される。
また、図１Ａに示すように、電線２２２は、第２Ｂパソコン３２３に接続される。電線２２３は、第２テレビ３２４に接続される。
【００５４】
図１Ａ及び図１Ｂに示すように、第２部屋Ｒ２において、クランプ式電流計６２１ａは、第１Ａパソコン電力供給ラインＬ３２１に対して１つ配置される。クランプ式電流計６２１ａは、第１Ａパソコン電力供給ラインＬ３２１の電線２２１ａに配置される。クランプ式電流計６２１ａは、電線２２１ａに流れる電流値Ｉ２２１ａを計測する。電線２２１ａに所定時間に流れる電流値Ｉ２２１ａは、電線２２１ａに接続される第２Ａパソコン３２１が所定時間に消費する電流値と一致する。
【００５５】
同様に、クランプ式電流計６２１ｂ、６２２、６２３それぞれは、第２エアコン電力供給ラインＬ３２２、第２Ｂパソコン電力供給ラインＬ３２３、第２テレビ電力供給ラインＬ３２４それぞれに対して１つ配置される。クランプ式電流計６２１ｂ、６２２、６２３それぞれは、電線２２１ｂ、２２２、２２３それぞれに対して配置される。クランプ式電流計６２１ｂ、６２２、６２３それぞれは、第２エアコン３２２、第２Ｂパソコン３２３、第２テレビ３２４それぞれが消費する電流値Ｉ２２１ｂ、Ｉ２２２、Ｉ２２３それぞれを計測する。
【００５６】
また、図３に示すように、クランプ式電流計６２１は、電線２２１に対して配置される。クランプ式電流計６２１は、コンセント４２１に接続される第２Ａパソコン３２１及び第２エアコン３２２が所定時間に消費する合計の電流値Ｉ２２１を計測する。ここで、電線２２１は、コンセント４２１を介して２本の電線２２１ａ、２２１ｂに分岐している。そのため、電線２２１に流れる合計の電流値Ｉ２２１は、（２）式で表される。
Ｉ２２１＝Ｉ２２１ａ＋Ｉ２２１ｂ・・・（２）
【００５７】
また、図１Ａに示すように、総電流計測器部としてのクランプ式総電流計６２０は、電線２２０ｂに対して配置される。クランプ式総電流計６２０は、第２部屋Ｒ２における積算電力量計５２０に接続される第２端末装置群３２０が所定時間に消費する総電流値Ｉ２２０を計測する。
【００５８】
ここで、第２部屋Ｒ２における電線２２０ｂは、３本の電線２２１、２２２、２２３に分岐している。そのため、電線２２０ｂに流れる総電流値Ｉ２２０ｂは、（３）式によって表される。また、総電流値Ｉ２２０ｂは、（２）式により、（４）式でも表される。
Ｉ２２０ｂ＝Ｉ２２１＋Ｉ２２２＋Ｉ２２３・・・（３）
Ｉ２２０ｂ＝（Ｉ２２１ａ＋Ｉ２２１ｂ）＋Ｉ２２２＋Ｉ２２３・・・（４）
【００５９】
次に、図１Ａにより、第３部屋Ｒ３における構成について説明する。
図１Ａに示すように、第３部屋Ｒ３における構成は、第１部屋Ｒ１における構成とは、第３端末装置群３３０の構成及び電線２３０の配線構成の点で異なる。
第３部屋Ｒ３には、第３電力供給部１３０により電力が供給される。電力供給部１３０には、第３端末装置群３３０が電線２３０を介して接続される。第３部屋Ｒ３における第３端末装置群３３０は、第３Ａパソコン３３１と、第３Ｂパソコン３３２と、第３Ｃパソコン３３３と、第３Ｄパソコン３３４と、第３Ｅパソコン３３５と、第３Ｆパソコン３３６と、第３エアコン３３７と、を備える。第３部屋Ｒ３における第３端末装置群３３０には、電線２３０を介して電力供給部１３０から所定の電力が供給される。
【００６０】
第３積算電力量計５３０は、第３電力供給部１３０と第３端末装置群３３０との間に配置され、第３部屋Ｒ３における第３端末装置群３３０により消費される所定時間における合計の総電力値Ｐ３を計測する。第３積算電力量計５３０の一次側（電力を供給する側）には、電線２３０ａを介して第３電力供給部１３０が接続される。第３積算電力量計５３０の二次側（第３端末装置群３３０側）には、電線２３０ｂを介して第３端末装置群３３０が接続される。
【００６１】
第３積算電力量計５３０の二次側に接続される電線２３０ｂは、途中で３本の電線２３１、２３２、２３３に分岐される。分岐された３本の電線２３１、２３２、２３３それぞれは、分岐接続部としての第３Ａコンセント４３１、分岐接続部としての第３Ｂコンセント４３２、第３Ｃコンセント４３３それぞれに接続される。
【００６２】
第３Ａコンセント４３１には、３本の電線２３１ａ、２３１ｂ、２３１ｃが接続される。第３Ａコンセント４３１は、１本の電線２３１を３本の電線２３１ａ、２３１ｂ、２３１ｃに分岐する分岐接続部として機能する。電線２３１ａには、第３Ａパソコン３３１が接続される。電線２３１ｂには、第３Ｂパソコン３３２が接続される。電線２３１ｃには、第３Ｃパソコン３３３が接続される。
【００６３】
同様に、第３Ｂコンセント４３２には、３本の電線２３２ａ、２３２ｂ、２３２ｃが接続される。第３Ｂコンセント４３２は、１本の電線２３２を３本の電線２３２ａ、２３２ｂ、２３２ｃに分岐する分岐接続部として機能する。電線２３２ａには、第３Ｄパソコン３３４が接続される。電線２３２ｂには、第３Ｅパソコン３３５が接続される。電線２３２ｃには、第３Ｆパソコン３３６が接続される。
また、電線２３３は、第３エアコン３３７に接続される。
【００６４】
図１Ｂに示すように、第３部屋Ｒ３において、クランプ式電流計６３１ａは、第３Ａパソコン電力供給ラインＬ３３１に対して１つ配置される。具体的には、クランプ式電流計６３１ａは、第３Ａパソコン電力供給ラインＬ３３１の電線２３１ａに対して配置される。クランプ式電流計６３１ａは、電線２３１ａに流れる電流値Ｉ２３１ａを計測する。電線２３１ａに所定時間に流れる電流値Ｉ２３１ａは、電線２３１ａに接続される第３Ａパソコン３３１が所定時間に消費する電流値と一致する。
【００６５】
同様に、クランプ式電流計６３１ｂ、６３１ｃ、６３２ａ、６３２ｂ、６３２ｃ、６３３それぞれは、第３Ｂパソコン電力供給ラインＬ３３２、第３Ｃパソコン電力供給ラインＬ３３３、第３Ｄパソコン電力供給ラインＬ３３４、第３Ｅパソコン電力供給ラインＬ３３５、第３Ｆパソコン電力供給ラインＬ３３６、第３エアコン電力供給ラインＬ３３７それぞれに対して１つ配置される。具体的には、クランプ式電流計６３１ｂ、６３１ｃ、６３２ａ、６３２ｂ、６３２ｃ、６３３それぞれは、電線２３１ｂ、２３１ｃ、２３２ａ、２３２ｂ、２３２ｃ、２３３それぞれに対して配置される。クランプ式電流計６３１ｂ、６３１ｃ、６３２ａ、６３２ｂ、６３２ｃ、６３３それぞれは、第３Ｂパソコン３３２、第３Ｃパソコン３３３、第３Ｄパソコン３３４、第３Ｅパソコン３３５、第３Ｆパソコン３３６、第３エアコン３３７それぞれが消費する電流値Ｉ２３１ｂ、Ｉ２３１ｃ、Ｉ２３２ａ、Ｉ２３２ｂ、Ｉ２３２ｃ、Ｉ２３３それぞれを計測する。
【００６６】
また、図１Ａに示すように、クランプ式電流計６３１は、電線２３１に対して配置される。クランプ式電流計６３１は、第３Ａコンセント４３１に接続される第３Ａパソコン３３１、第３Ｂパソコン３３２及び第３Ｃパソコン３３３が所定時間に消費する合計の電流値Ｉ２３１を計測する。ここで、電線２３１は、第３Ａコンセント４３１を介して３本の電線２３１ａ、２３１ｂ、２３１ｃに分岐する。そのため、電線２３１に流れる合計の電流値Ｉ２３１は、（５）式によって表される。
Ｉ２３１＝Ｉ２３１ａ＋Ｉ２３１ｂ＋Ｉ２３１ｃ・・・（５）
【００６７】
また、クランプ式電流計６３２は、電線２３２に対して配置される。クランプ式電流計６３２は、第３Ｂコンセント４３２に接続される第３Ｄパソコン３３４、第３Ｅパソコン３３５及び第３Ｆパソコン３３６が所定時間に消費する合計の電流値Ｉ６３２を計測する。ここで、電線２３２は、第３Ｂコンセント４３２を介して３本の電線２３２ａ、２３２ｂ、２３２ｃに分岐する。そのため、電線２３２に流れる合計の電流値Ｉ２３２は、（６）式によって表される。
Ｉ２３２＝Ｉ２３２ａ＋Ｉ２３２ｂ＋Ｉ２３２ｃ・・・（６）
【００６８】
また、総電流計測器部としてのクランプ式総電流計６３０は、電線２３０ｂに対して配置される。クランプ式総電流計６３０は、部屋Ｒ３における積算電力量計５３０に接続される第３端末装置群３３０が所定時間に消費する総電流値Ｉ２３０ｂを計測する。ここで、電線２３０ｂは、３本の電線２３１、２３２、２３３に分岐している。そのため、電線２３０ｂに流れる総電流値Ｉ２３０ｂは、（７）式によって表される。また、総電流値Ｉ２３０ｂは、（５）及び（６）式により、（８）式でも表される。
Ｉ２３０ｂ＝Ｉ２３１＋Ｉ２３２＋Ｉ２３３・・・（７）
Ｉ２３０ｂ＝（Ｉ２３１ａ＋Ｉ２３１ｂ＋Ｉ２３１ｃ）＋（Ｉ２３２ａ＋Ｉ２３２ｂ＋Ｉ２３２ｃ）＋Ｉ２３３・・・（８）
【００６９】
次に、図４により、電力監視装置１における、第１入力部７１０、第２入力部７２０、第１記憶部７３１、第２記憶部７３５、処理部７４１、解析部７４２及び結果表示部７５０に関連する構成を中心に詳述する。
図４に示すように、第１入力部７１０には、積算電力量計群５００により計測された所定時間における積算電力量計５１０、５２０、５３０それぞれの合計の総電力値Ｐ１、Ｐ２、Ｐ３に関する総電力値情報それぞれが入力される。
【００７０】
具体的には、第１部屋Ｒ１において、第１積算電力量計５１０は、第１端末装置群３１０により消費される所定時間における合計の総電力値Ｐ１を計測して、総電力値Ｐ１を出力する。第１積算電力量計５１０により出力された総電力値Ｐ１に関する総電力値情報は、第１ケーブル６及び第１入力端子部７１１を介して第１入力部７１０に入力される。総電力値Ｐ１に関する総電力値情報は、例えば、第１積算電力量計５１０により計測された電力値における実効値の数値データで第１積算電力量計５１０から出力されて第１入力部７１０に入力される。
また、同様に、第２部屋Ｒ２、第３部屋Ｒ３それぞれにおいても、対応する第２積算電力量計５２０、第３積算電力量計５３０それぞれにより計測された総電力値Ｐ２、Ｐ３に関する総電力量情報が、第１ケーブル６及び第１入力端子部７１１を介して第１入力部７１０に入力される。
【００７１】
第１記憶部７３１は、第１入力部７１０により入力された積算電力量計５１０、５２０、５３０それぞれの合計の総電力値Ｐ１、Ｐ２、Ｐ３を記憶する。
【００７２】
第２入力部７２０には、前述のクランプ式電流計群６００により計測された所定時間における端末装置群３００により消費される電流値Ｉが入力される。
具体的には、前述の通り、第１部屋Ｒ１において、クランプ式電流計６１１、６１２、６１３、６１４、６１５それぞれは、電線２１１、２１２、２１３、２１４、２１５に流れる電流値Ｉ２１１，Ｉ２１２、Ｉ２１３、Ｉ２１４、Ｉ２１５それぞれを計測することにより、第１パソコン３１２、電灯３１３、第１テレビ３１４及び冷蔵庫３１５が消費する電流値Ｉ２１２、Ｉ２１３、Ｉ２１４、Ｉ２１５それぞれを計測する（図１Ａ参照）。
【００７３】
クランプ式電流計６１１、６１２、６１３、６１４、６１５それぞれは、それぞれの計測値としての電流値Ｉ２１１、Ｉ２１２、Ｉ２１３、Ｉ２１４、Ｉ２１５を出力する。クランプ式電流計６１１、６１２、６１３、６１４、６１５それぞれにより出力された電流値Ｉ２１１、Ｉ２１２、Ｉ２１３、Ｉ２１４、Ｉ２１５それぞれは、第２ケーブル７及び第２入力端子部７２１を介して第２入力部７２０に入力される。電流値Ｉは、例えば、クランプ式電流計により計測された電流値の実効値で出力される。
【００７４】
また、同様に、第２部屋Ｒ２、第３部屋Ｒ３それぞれにおいても、クランプ式電流計群６００により計測された電流値群Ｉ２００が、第２ケーブル７及び第２入力端子部７２１を介して第２入力部７２０に入力される。
【００７５】
第２記憶部７３５は、第２入力部７２０により入力された電流値Ｉそれぞれを記憶する。
【００７６】
処理部７４１は、第２記憶部７３５に記憶された複数の電流値Ｉの総和に対する各電流値の割合と、第１記憶部７３１に記憶された総電力値Ｐ１、Ｐ２、Ｐ３とに基づいて端末装置が消費した所定時間における電力値を算出する。
一例として、第１部屋Ｒ１における第１エアコン３１１の消費電力値を算出する処理部７４１による処理を説明する。
【００７７】
第１部屋Ｒ１において、処理部７４１は、第２記憶部７３５に記憶された電流値Ｉ２１１、Ｉ２１２、Ｉ２１３、Ｉ２１４、Ｉ２１５の総和を算出する。総和は、（９）によって表される。
Ｉ２１１＋Ｉ２１２＋Ｉ２１３＋Ｉ２１４＋Ｉ２１５・・・（９）
ここで、第１記憶部７３１に記憶された第１部屋Ｒ１における第１積算電力量計５１０の計測値は、総電力値Ｐ１である。
そして、例えば、第１部屋Ｒ１における第１エアコン３１１が消費する電力値Ｐ３１１は、第１エアコン３１１接続される電線２１１に流れる電流値Ｉ２１１により算出できる。従って、第１エアコン３１１の消費電力値Ｐ３１１は、（１０）により算出される。
Ｐ３１１＝Ｐ１×Ｉ２１１／（Ｉ２１１＋Ｉ２１２＋Ｉ２１３＋Ｉ２１４＋Ｉ２１５）・・・（１０）
【００７８】
以上の所定の端末装置における処理部７４１による電力値の算出方法に関して詳細に説明する。
例えば、本実施形態においては、単相３線式の配電方式により各部屋Ｒ１、Ｒ２、Ｒ３に電力を供給している。
図２に示すように、単相３線式の配電方式は、例えば、単相変圧器の二次側の中間点から電圧の掛からない接地（Ｇ）がされた中性線と、単相変圧器の二次側の両端の端子から位相が逆の対地電圧１００Ｖの電圧が掛かった電圧線２本と、を引き出した３本の電線により構成される。電圧線同士を接続してＡＣ２００Ｖ用の端末装置等への電力供給部とする。また、電圧線と中性線を接続してＡＣ１００Ｖ用の端末装置等への電力供給部とする。本実施形態においては、電圧線と中性線を接続してＡＣ１００Ｖ用の端末装置等への電力供給部とする。
【００７９】
本実施形態においては、各端末装置には、ＡＣ１００Ｖ（実効値）の電圧値Ｖが印加される。ここで、端末装置に流れる電流値をＩ、力率をｃｏｓθとすると、消費電力Ｐは、（１１）式により定まる。
Ｐ＝ＶＩｃｏｓθ・・・（１１）
【００８０】
例えば、第１部屋Ｒ１においては、図１Ａに示すように、第１部屋Ｒ１に配置される各端末装置の消費電力値をＰ３１１、Ｐ３１２、Ｐ３１３，Ｐ３１４、Ｐ３１５、力率をｃｏｓθとすると、Ｐ３１１＝Ｖ・Ｉ２１１ｃｏｓθ、Ｐ３１２＝Ｖ・Ｉ２１２ｃｏｓθ、Ｐ３１３＝Ｖ・Ｉ２１３ｃｏｓθ、Ｐ３１４＝Ｖ・Ｉ２１４ｃｏｓθ、Ｐ３１５＝Ｖ・Ｉ２１５ｃｏｓθと表される。
【００８１】
ところで、部屋全体での消費電力値と、部屋に配置される端末装置それぞれの消費電力値それぞれがわかれば、合計の消費電力値を所定の端末装置の電力値の比率で配分することにより、所定の端末装置における消費電力値を算出できる。
【００８２】
例えば、第１部屋Ｒ１においては、第１エアコン３１１により消費される電力Ｐ３１１を算出する場合には、第１部屋Ｒ１に配置される全ての端末装置の合計の総電力値Ｐ１を、第１エアコン３１１、第１パソコン３１２、電灯３１３、第１テレビ３１４、冷蔵庫３１５の合計の電力値（Ｐ３１１＋Ｐ３１２＋Ｐ３１３＋Ｐ３１４＋Ｐ３１５）に対する第１エアコン３１１の電力値Ｐ３１１の比率により配分する。これにより、第１エアコン３１１の消費する電力値Ｐ３１１を算出できる。例えば、（１２）式のように、電力値Ｐ３１１を算出できる。
Ｐ３１１＝Ｐ１×Ｐ３１１／（Ｐ３１１＋Ｐ３１２＋Ｐ３１３＋Ｐ３１４＋Ｐ３１５）・・・（１２）
【００８３】
また、（１２）式を（１１）式により書き換えた場合、Ｐ３１１＝Ｖ・Ｉ２１１cosθ、Ｐ３１２＝Ｖ・Ｉ２１２ｃｏｓθ、Ｐ３１３＝Ｖ・Ｉ２１３ｃｏｓθ、Ｐ３１４＝Ｖ・Ｉ２１４ｃｏｓθ、Ｐ３１５＝Ｖ・Ｉ２１５ｃｏｓθより、（１３）式が得られる。
Ｐ３１１＝Ｐ１×Ｖ・Ｉ２１１ｃｏｓθ／（Ｖ・Ｉ２１１ｃｏｓθ＋Ｖ・Ｉ２１２ｃｏｓθ＋Ｖ・Ｉ２１３ｃｏｓθ＋Ｖ・Ｉ２１４ｃｏｓθ＋Ｖ・Ｉ２１５ｃｏｓθ）・・・（１３）
この場合、消費電力値Ｐ３１１は、電流値Ｉ、電圧値Ｖ、力率ｃｏｓθを測定しなければ算出できない。
【００８４】
ここで、各端末装置へ印加される電圧値Ｖを略同一とみなすこととする。また、各端末装置における力率ｃｏｓθを全て同一とみなすこととする。
その結果、（１３）式において、（１４）式を得ることができる。
Ｐ３１１＝Ｐ１×Ｖ・Ｉ２１１ｃｏｓθ／｛Ｖ・（Ｉ２１１＋Ｉ２１２＋Ｉ２１３＋Ｉ２１４＋Ｉ２１５）ｃｏｓθ｝＝Ｐ１×Ｉ２１１／（Ｉ２１１＋Ｉ２１２＋Ｉ２１３＋Ｉ２１４＋Ｉ２１５）＝・・・（１４）
【００８５】
即ち、（１４）式は、前述の（１０）式と同一の式である。従って、（１０）式により、第１部屋Ｒ１における第１エアコン３１１の消費電力値Ｐ３１１を算出できる。つまり、各端末装置の電圧値Ｖを計測する必要なく、各端末装置で消費される電力を算出できる。
【００８６】
このように、第１部屋Ｒ１における総電力値Ｐ１と、第１エアコン３１１、第１パソコン３１２、電灯３１３、第１テレビ３１４、冷蔵庫３１５に対応する電線群２１０に流れる電流値群Ｉ２１０の総和に対する各電流値の割合と、に基づき、例えば、第１エアコン３１１が所定時間に消費する電力値Ｐ３１１を算出できる。
【００８７】
第１部屋Ｒ１における第１パソコン３１２、電灯３１３、第１テレビ３１４、冷蔵庫３１５についても、同様に、処理部７４１の処理により消費電力値を算出できる。また、第２部屋Ｒ２及び第３部屋Ｒ３に配置される第２端末装置群３２０、第３端末装置群３３０についても同様に算出できる。
【００８８】
ここで、本発明の電力監視システムＳは、前述のように、総電力値及び各電流値の連比に基づいて算出して各電流値の比率により配分して各端末装置で消費される電力値を算出する。そのため、各端末装置が消費する電力値を算出する場合には、その所定の部屋（エリア）に配置される全ての端末装置に対応する電線における電流値を、重複することなく且つ漏れることなく計測する必要がある。
【００８９】
例えば、第２部屋Ｒ２に配置される端末装置群３２０で消費される電力値Ｐ３２０を算出する場合、全ての端末装置群３２０に対応する電線群２２０のうちの電流値Ｉ２２１、Ｉ２２２、Ｉ２２３を用いて算出する場合と、電流値Ｉ２２１ａ、Ｉ２２１ｂ、Ｉ２２２、Ｉ２２３を用いて算出する場合がある。なお、電流値Ｉ２２１、Ｉ２２１ａ、Ｉ２２１ｂ、Ｉ２２２、Ｉ２２３を用いて各端末装置が消費する電力値を算出すると、前述の（２）式によりＩ２２１＝Ｉ２２１ａ＋Ｉ２２１ｂであることから、端末装置に対応する電線における電流値が重複しており各端末装置の電力値を正確に算出できない。従って、クランプ式電流計は、１つの電力供給ラインＬに対して１つ配置されるという条件が必要である。
【００９０】
また、例えば、複数の端末装置の全ての端末装置について消費される電流値を漏れなく計測していない場合には、前述のように各電流値の総和に基づく各端末装置の消費電力値は、正しく得られない。
【００９１】
そこで、本実施形態は、積算電力量計に流れる総電流値を計測する構成を備える。
例えば、前述のように、図１Ａに示すように、第１部屋Ｒ１においては、第１積算電力量計５１０の二次側に接続されると共に第１端末装置群３１０に分岐される前の電線２１０ｂに流れる電流値Ｉ２１０ｂをクランプ式総電流計６１０において計測する。同様に、第２部屋Ｒ２においては、第２積算電力量計５２０の二次側に接続されると共に第２端末装置群３２０に分岐する前の電線２２０ｂに流れる電流Ｉ２２０ｂをクランプ式総電流計６２０において計測する。第３部屋Ｒ３においても、第３積算電力量計５３０の二次側に接続されると共に第３端末装置群３３９に分岐する前の電線２３０ｂに流れる電流値Ｉ２３０ｂをクランプ式総電流計６３０において計測する。
【００９２】
ここで、積算電力量計に流れる総電流値は、積算電力量計に接続される全ての端末装置が消費する電流値の総和である。具体的には、各総電流値としての第１部屋Ｒ１における電流値Ｉ２１０ｂ、第２部屋Ｒ２における電流値Ｉ２２０ｂ、第２部屋Ｒ２における電流値Ｉ２３０ｂそれぞれは、各部屋に配置される端末装置群３１０、３２０、３３０それぞれの端末装置に対応する電線に流れる電流値の合計に一致する。
【００９３】
そこで、例えば、全ての端末装置における各電流値の合計値を算出した合計電流値と、クランプ式電流計により計測された積算電力量計に流れる総電流値とを対比する。そして、例えば、積算電力量計５１０、５２０、５３０に接続されているにも関わらず、消費電流値が計測されていない電線がある場合や、クランプ式電流計の故障等により端末装置の電流値が計測されてない場合に、電力監視装置１のＣＰＵ等で対比等することで正しい計測でないことを検知することができる。このように、積算電力量計に流れる総電流値を計測する構成を備えることで、クランプ式電流計が計測すべき全ての電線に対して配置され、各端末装置の消費電力値が正しく算出されることを確認できる。
【００９４】
次に、図４により、前述のように計測された各端末装置の消費電力値を解析処理する解析部７４２と、解析部７４２による解析処理結果を表示する結果表示部７５０と、について詳細に説明する。
【００９５】
図４に示すように、本発明の電力監視システムＳは、第３記憶部７３６と、第３記憶部７３６に記憶された電力値群Ｐ３００を端末装置群３００に対応付けて対比可能に解析処理する解析部７４２と、解析部７４２による解析処理結果を表示する結果表示部７５０と、を備える。
【００９６】
第３記憶部７３６は、積算電力量計５１０、５２０、５３０と総電力値Ｐ１、Ｐ２、Ｐ３とを互いに関連付けて記憶する。また、第３記憶部７３６は、端末装置群３００と処理部７４１により算出された電力値群Ｐ３００とを互いに関連付けて記憶する。
【００９７】
具体的には、例えば、第１部屋Ｒ１においては、第３記憶部７３６は、第１積算電力量計５１０から入力された総電力値Ｐ１を、第１積算電力量計５１０に関連付けて記憶する。また、第３記憶部７３６は、前述の処理部７４１により算出された各端末装置について、第１エアコン３１１が消費した電力値Ｐ３１１を、第１エアコン３１１に関連付けて記憶する。また、同様に、第３記憶部７３６は、第１パソコン３１２が消費した電力値Ｐ３１２、電灯３１３が消費した電力値Ｐ３１３、第１テレビ３１４が消費した電力値Ｐ３１４、冷蔵庫３１５が消費した電力値Ｐ３１５それぞれを、第１パソコン３１２、電灯３１３、第１テレビ３１４、冷蔵庫３１５それぞれに関連付けて記憶する。
また、第３記憶部７３６は、第２部屋Ｒ２、第３部屋Ｒ３においても同様に関連付けて記憶する。
【００９８】
解析部７４２は、第３記憶部７３６に記憶された各端末装置の電力値を、各端末装置に対応付けて対比可能に解析処理する。
【００９９】
具体的には、解析部７４２は、解析テーブルを有する。解析テーブルは、部屋Ｒ１、Ｒ２、Ｒ３と、部屋Ｒ１、Ｒ２、Ｒ３に配置された電線群２００と、クランプ式電流計群６００と、端末装置群３００と、コンセント群４００と、をそれぞれ対応付ける。解析部７４２は、解析テーブルの対応付けに基づき、例えば、第１部屋Ｒ１におけるクランプ式電流計６１１で計測した電線２１１が接続された第１エアコン３１１と、第３記憶部７３６に記憶された処理部７４１により処理された第１エアコン３１１の消費する電力値Ｐ３１１と、を対応付けして対比可能に解析処理をする。
解析処理としては、蓄積された電力値のデータに基づいて、部屋別の消費電力や、コンセント別の消費電力や、消費電力の経時的な変化等を視覚的に把握できるグラフや表を作成するための処理等を例示できる。
【０１００】
本実施形態においては、第３部屋Ｒ３には、各端末装置が接続されたコンセント４３１、４３２、４３３が３つ配置されている（図１Ａ参照）。
解析部７４２は、この３つのコンセント４３１、４３２、４３３により各端末装置に分岐する前の３本の電線２３１、２３２、２３３に流れる電流値Ｉ２３１、Ｉ２３２、Ｉ２３３を測定することにより、３つのコンセント４３１、４３２、４３３それぞれに接続された全ての端末装置が消費する電力値の合計を算出する。そして、３つのコンセント４３１、４３２、４３３それぞれに接続された消費電力を対比可能に解析処理する。
【０１０１】
例えば、第３部屋Ｒ３における第３Ａコンセント４３１には、第３Ａパソコン３３１、第３Ｂパソコン３３２、第３Ｃパソコン３３３が接続されている。第３部屋Ｒ３における第３Ｂコンセント４３２には、第３Ｄパソコン３３４、第３Ｅパソコン３３５、第３Ｆパソコン３３６が接続されている。第３部屋Ｒ３における第３Ｃコンセント４３３には、第３エアコン３３７が接続されている（図１Ａ参照）。
解析部７４２は、前述の解析テーブルの対応付けに基づいて、第３Ａパソコン３３１、第３Ｂパソコン３３２及び第３Ｃパソコン３３３が接続された第３Ａコンセント４３１と、第３Ｄパソコン３３４、第３Ｅパソコン３３５、第３Ｆパソコン３３６が接続された第３Ｂコンセント４３２と、第３エアコン３３７が接続された第３Ｃコンセント４３３と、を、前述の処理部７４１により処理された各端末装置の消費する電力値に対応付けして対比可能に解析処理をする。
【０１０２】
また、解析部７４２は、第１部屋Ｒ１、第２部屋Ｒ２、第３部屋Ｒ３それぞれでの消費電力Ｐ１、Ｐ２、Ｐ３を対比可能に解析処理する。
【０１０３】
また、解析部７４２は、例えば、１つの端末装置としての第１部屋Ｒ１における第１エアコン３１１や第１パソコン３１２の時間の変化に基づく電力値Ｐ３１１、Ｐ３１２の変化を解析処理する。
【０１０４】
電力監視装置１における結果表示部７５０は、解析部７４２による解析処理結果に表示する。これにより、各部屋Ｒ１、Ｒ２、Ｒ３や、各端末装置群３００や、各コンセント群４００での消費電力を視覚的に把握できる。
【０１０５】
本実施形態においては、図５（Ａ）に示すように、結果表示部７５０は、例えば、第１部屋Ｒ１、第２部屋Ｒ２、第３部屋Ｒ３で消費される総電力値Ｐ１、Ｐ２、Ｐ３を視覚的に対比可能にグラフで表示できる。そのため、部屋別の消費電力値の対比が容易である。
また、図５（Ｂ）に示すように、結果表示部７５０は、例えば、第３部屋Ｒ３における第３Ａコンセント４３１、第３Ｂコンセント４３２、第３Ｃコンセント４３３で消費される電力値を視覚的に対比可能にグラフで表示できる。そのため、コンセント別の消費電力値の対比が容易である。
また、図５（Ｃ）に示すように、結果表示部７５０は、例えば、第１部屋Ｒ１における第１エアコン３１１、第１パソコン３１２での消費電力の時間的な変化を視覚的にグラフで表示できる。そのため、各端末装置の消費電力値の時間的な変化を容易に把握できる。
【０１０６】
以上、説明した第１実施形態の電力監視システムＳ及び電力監視装置１によれば、以下のような効果を奏する。
本実施形態によれば、第２記憶部７３５に記憶された全ての複数の電流値の総和に対する各電流値の割合と、第１記憶部７３１に記憶された総電力値Ｐ１、Ｐ２、Ｐ３とに基づいて各端末装置が消費した所定時間における電力値Ｐ３００を算出する処理部７４１を備える。そのため、端末装置群３００により消費される電流値群Ｉ２００を計測するだけで、簡易に各端末装置が消費した所定時間における電力値Ｐ３００を算出することができる。
【０１０７】
また、本実施形態によれば、電流計として電線に非接触で配置されるクランプ式電流計群６００を用いるため、各端末装置に流れる電流値を簡易に計測できる。つまり、コスト面や作業負担も少なく本発明の電力監視システムＳを構築することができる。
【０１０８】
また、本実施形態によれば、コンセント群４００により分岐される前の電線群２００に流れる電流値群Ｉ２００をクランプ式電流計群６００で計測するので、コンセント群４００に接続された全ての端末装置群３００が消費する合計の電力値群Ｐ３００を算出することができる。
【０１０９】
また、本実施形態によれば、積算電力量計５１０、５２０、５３０に流れる総電流値Ｉ２２０ａ、Ｉ２２０ｂ、Ｉ２２０ｃを測定することから、クランプ式電流計群６００が全ての電線群２００に対して配置されているか把握することができる。つまり、本発明の電力監視システムＳが正しい状態で構築されているかを確認することができる。
【０１１０】
また、本実施形態によれば、各端末装置群３００の電力値群Ｐ３００を各端末装置に対応付けて対比可能に解析処理する解析部７４２と、解析部７４２による解析処理結果を表示する結果表示部７５０と、を備える。そのため、各端末装置別の消費電力を視覚的に対比させて把握することができる。
【０１１１】
また、本実施形態によれば、解析部７４２は、各端末装置の電力値の変化を時間変化に基づいて処理する。そのため、各端末装置の消費電力の経時変化を視覚的に把握することができる。
【０１１２】
また、本実施形態によれば、第１部屋Ｒ１、第２部屋Ｒ２、第３部屋Ｒ３の複数の電力供給エリアを備える。そのため、部屋（エリア）別の消費電力を視覚的に対比させて把握することができる。
【０１１３】
また、本実施形態によれば、第１ケーブル６を介して積算電力量計５１０、５２０、５３０に接続される第１入力端子部７１１を備える。そのため、第１入力部７１０には、積算電力量計５１０、５２０、５３０に計測された総電力値Ｐ１、Ｐ２、Ｐ３が容易に入力される。
【０１１４】
また、本実施形態によれば、総電力値Ｐ１、Ｐ２、Ｐ３を入力可能な入力操作部７１２を備える。そのため、第１ケーブル６により積算電力量計５１０、５２０、５３０と電力監視装置１とが接続されていなくても、入力操作部７１２により容易に総電力値Ｐ１、Ｐ２、Ｐ３を入力することができる。
【０１１５】
次に、図６及び図７により、第２実施形態に係る電力監視システムＳについて説明する。図６は、第２実施形態における積算電力量計５１０の計測表示部８００の数字データをカメラ８１０の撮像により総電力値Ｐ１に変換する構成を説明する図である。図７は、第２実施形態における電力監視システムＳの機能ブロック図である。
第２実施形態における電力監視システムＳは、第１積算電力量計５１０の総電力値Ｐ１が第１入力部７１０へ入力される構成を除いて第１実施形態における電力監視システムＳと同様の構成を有する。従って、第２実施形態については、総電力値Ｐ１が第１入力部７１０へ入力される構成を中心に説明し、他の構成要素の説明は省略する。
【０１１６】
図６及び図７に示すように、第２実施形態における電力監視システムＳは、総電力値を含む画像を表示する計測表示部８００を有する第１積算電力量計５１０の近傍に配置されて、計測表示部８００に表示された総電力値を含む画像を撮像すると共に、総電力値を含む画像の画像情報を出力する撮像部としてのカメラ８１０と、カメラ８１０からの画像情報を受信する受信部８２０と、受信部８２０により受信されたカメラ８１０により撮像された画像情報を記憶する第４記憶部としての撮像用メモリ部８３０と、撮像用メモリ部８３０により記憶された画像情報を解析処理して、総電力値の画像情報を総電力値に関する数値情報である総電力値情報に変換する変換部８５０と、を備える。
【０１１７】
撮像用メモリ部８３０は、画像データ記憶部８３１と、数字テーブル記憶部８３２と、数値‐電力値変換テーブル記憶部８３３と、電力値データ記憶部８３４と、を有する。
画像データ記憶部８３１は、カメラ８１０により出力された撮像画像の画像データを記憶する。
数字テーブル記憶部８３２は、数字データと数字の形状情報とを関連付けて記憶する。数字テーブル記憶部８３２は、数字データと数字の形状情報とが対比された数字テーブルを記憶する。数字テーブル記憶部８３２に記憶される数字テーブルは、主に変換部８５０に利用される。
【０１１８】
数字−電力値変換テーブル記憶部８３３は、数字テーブルによって変換された数字データを電力値に変換するための変換テーブルを記憶する。例えば、積算電力量計５１０により計測された電力値Ｐ１は、積算電力量計５１０の計測表示部８００に表示される数字に電力値Ｐ１を算出するための倍率を乗ずることにより算出される。そのため、数字−電力値変換テーブル記憶部８３３は、倍率を乗じて電力値Ｐ１を算出するための変換テーブルを記憶する。数字−電力値変換テーブル記憶部８３３は、主に変換部８５０に利用される。例えば、変換部８５０は、表示部が所定方向に並んだ数字で計測値を表示する場合、所定方向に並んだ数字の画像に基づいて、数字の計測値を電力値Ｐ１に変換する。
【０１１９】
本実施形態では、まず、カメラ８１０により、積算電力量計５１０の計測表示部８００に表示された所定の方向に並んだ数字の画像を撮像する。そして、その画像データを画像データ記憶部８３１に記憶する。画像データ記憶部８３１に記憶された画像データは、数字テーブル記憶部８３２に記憶される数字テーブルの数字の形状情報と対比されて、変換部８５０により数字データに変換される。
【０１２０】
そして、変換された数字データは、数字−電力値変換テーブル記憶部８３３に記憶された計測表示部８００に表示される数字に電力値Ｐ１を算出するための倍率に基づいて、変換部８５０により電力値Ｐ１データに変換される。変換された電力値Ｐ１データは、電力値データ記憶部８３４に記憶される。
【０１２１】
そして、変換部８５０に変換された積算電力量計５１０の総電力値Ｐ１が、第１入力部７１０に入力される。
【０１２２】
以上、説明した第２実施形態の電力監視システムＳによれば、以下のような効果を奏する。
本実施形態によれば、例えば、カメラ８１０により第１積算電力量計５１０で計測された総電力値Ｐ１の画像情報を得ることができ、その総電力値Ｐ１の画像情報から数値情報に変換できる。そして、変換後の総電力値Ｐ１の数値情報を第１入力部７１０へ入力することができる。そのため、カメラ８１０を第１積算電力量計５１０の計測表示部８００を撮像可能な位置に取り付けるだけで、第１入力部７１０へ総電力値Ｐ１の数値情報を入力することができる。つまり、本実施形態の電力監視システムＳにおいて、第１入力部７１０へ入力される総電力値Ｐ１を出力する第１積算電力量計５１０を新たに購入して設置する必要がないので、コスト面や作業負担が少なく、既存の積算電力量計を利用して電力監視システムＳを構築することができる。
【０１２３】
次に、図８により、第３実施形態に係る電力監視システムＳについて説明する。図８は、第３実施形態における電力監視システムＳの機能ブロック図である。
第３実施形態における電力監視システムＳは、複数の切り替え部９０１、９０２、９０３、９０４、９０５、ＣＰＵにおける判定部としてのバランス判定部７４３及び制御部としてのスイッチ制御部７４４に関する構成を除いて第１実施形態における電力監視システムＳと同様の構成を有する。従って、第３実施形態については、複数の切り替え部９０１、９０２、９０３、９０４、９０５、バランス判定部７４３及びスイッチ制御部７４４に関する構成を中心に説明し、他の構成要素の説明は省略する。
【０１２４】
第３実施形態においては、図８により、第１部屋Ｒ１における構成を例に説明する。
図８に示すように、第３実施形態における電力監視システムＳは、第１実施形態と同様に、単相３線式の配電方式による第１電力供給部１１０により第１部屋Ｒ１に電力を供給している。
具体的には、本実施形態の電力監視システムＳは、単相変圧器の二次側の中間点から電圧の掛からない接地（Ｇ）がされた中性線と、単相変圧器の二次側の両端の端子から位相が逆の対地電圧１００Ｖの電圧が掛かった電圧線２本と、を引き出した３本の電線を有する。詳細には、電力監視システムＳは、接地（Ｇ）された中性線と一方の電線とにより構成されてＡＣ１００Ｖを供給する電力供給相としてのＡ相ＰＡと、接地（Ｇ）された中性線と他方の電線とにより構成されてＡＣ１００Ｖを供給する電力供給相としてのＢ相ＰＢとにより構成される。
【０１２５】
図８に示すように、本実施形態における電力監視システムＳは、複数の切り替え部としての第１エアコン切り替え部９０１と、第１パソコン切り替え部９０２と、電灯切り替え部９０３と、第１テレビ切り替え部９０４と、冷蔵庫切り替え部９０５と、を有する。複数の切り替え部９０１、９０２、９０３、９０４、９０５は、複数の電力供給ラインＬそれぞれに１つ配置される。第１エアコン切り替え部９０１、第１パソコン切り替え部９０２、電灯切り替え部９０３、第１テレビ切り替え部９０４、冷蔵庫切り替え部９０５それぞれは、複数の端末装置群３００それぞれに電力を供給する電力供給相ＰＡ、ＰＢを一の電力供給相から他の電力供給相に切り替え可能に構成される。
【０１２６】
エアコン切り替え部９０１、第１パソコン切り替え部９０２、電灯切り替え部９０３、第１テレビ切り替え部９０４、冷蔵庫切り替え部９０５それぞれは、基端子部Ｔ１Ｓ、Ｔ２Ｓ、Ｔ３Ｓ、Ｔ４Ｓ、Ｔ５Ｓと、Ａ相選択端子部Ｔ１Ａ、Ｔ２Ａ、Ｔ３Ａ、Ｔ４Ａ、Ｔ５Ａと、Ｂ相選択端子部Ｔ１Ｂ、Ｔ２Ｂ、Ｔ３Ｂ、Ｔ４Ｂ、Ｔ５Ｂと、スイッチ部ＳＷ１、ＳＷ２、ＳＷ３、ＳＷ４、ＳＷ５と、を有する。
【０１２７】
基端子部Ｔ１Ｓ、Ｔ２Ｓ、Ｔ３Ｓ、Ｔ４Ｓ、Ｔ５Ｓそれぞれは、電線を介して第１エアコン３１１、第１パソコン３１２、電灯３１３、第１テレビ３１４、冷蔵庫３１５それぞれに接続されと共に、スイッチ部ＳＷ１、ＳＷ２、ＳＷ３、ＳＷ４、ＳＷ５それぞれの一端に接続される。
Ａ相選択端子部Ｔ１Ａ、Ｔ２Ａ、Ｔ３Ａ、Ｔ４Ａ、Ｔ５Ａそれぞれは、電線を介してＡ相ＰＡに接続される。Ｂ相選択端子部Ｔ１Ｂ、Ｔ２Ｂ、Ｔ３Ｂ、Ｔ４Ｂ、Ｔ５Ｂそれぞれは、電線を介してＢ相ＰＢに接続される。
【０１２８】
スイッチ部ＳＷ１、ＳＷ２、ＳＷ３、ＳＷ４、ＳＷ５それぞれは、一端が基端子部Ｔ１Ｓ、Ｔ２Ｓ、Ｔ３Ｓ、Ｔ４Ｓ、Ｔ５Ｓそれぞれに接続され、他端がＡ相選択端子部Ｔ１Ａ、Ｔ２Ａ、Ｔ３Ａ、Ｔ４Ａ、Ｔ５Ａ又はＢ相選択端子部Ｔ１Ｂ、Ｔ２Ｂ、Ｔ３Ｂ、Ｔ４Ｂ、Ｔ５Ｂを選択可能に構成される。
言い換えると、スイッチ部ＳＷ１、ＳＷ２、ＳＷ３、ＳＷ４、ＳＷ５それぞれは、基端子部Ｔ１Ｓ、Ｔ２Ｓ、Ｔ３Ｓ、Ｔ４Ｓ、Ｔ５ＳそれぞれとＡ相選択端子部Ｔ１Ａ、Ｔ２Ａ、Ｔ３Ａ、Ｔ４Ａ、Ｔ５Ａとを電気的につなぐ状態、又は基端子部Ｔ１Ｓ、Ｔ２Ｓ、Ｔ３Ｓ、Ｔ４Ｓ、Ｔ５ＳとＢ相選択端子部Ｔ１Ｂ、Ｔ２Ｂ、Ｔ３Ｂ、Ｔ４Ｂ、Ｔ５Ｂとを電気的につなぐ状態に選択可能に構成される。
【０１２９】
本実施形態においては、第１エアコン切り替え部９０１、電灯切り替え部９０３それぞれは、スイッチ部ＳＷ１、ＳＷ３が基端子部Ｔ１Ｓ、Ｔ３ＳそれぞれとＡ相選択端子部Ｔ１Ａ、Ｔ３Ａそれぞれとを電気的につなぐ状態に接続されている。そのため、第１エアコン３１１、電灯３１３それぞれには、Ａ相ＰＡにより電力が供給される。
【０１３０】
また、第１エアコン切り替え部９０１、電灯切り替え部９０３それぞれは、スイッチ部ＳＷ１、ＳＷ３を切り替えることにより、基端子部Ｔ１Ｓ、Ｔ３ＳそれぞれとＢ相選択端子部Ｔ１Ｂ、Ｔ３Ｂそれぞれとを電気的につなぐ状態に切り替え可能に構成される。これにより、第１エアコン３１１、電灯３１３それぞれは、Ａ相ＰＡにより電力が供給される構成からＢ相ＰＢにより電力が供給される構成に切り替えることができる。
【０１３１】
第１パソコン切り替え部９０２、第１テレビ切り替え部９０４、冷蔵庫切り替え部９０５それぞれは、スイッチ部ＳＷ２、ＳＷ４、ＳＷ５が基端子部Ｔ２Ｓ、Ｔ４Ｓ、Ｔ５ＳそれぞれとＢ相選択端子部Ｔ２Ｂ、Ｔ４Ｂ、Ｔ５Ｂそれぞれとを電気的につなぐ状態に接続されている。そのため、第１パソコン３１２、第１テレビ３１４、冷蔵庫３１５それぞれには、Ｂ相ＰＢにより電力が供給される。
【０１３２】
また、第１パソコン切り替え部９０２、第１テレビ切り替え部９０４、冷蔵庫切り替え部９０５それぞれは、スイッチ部ＳＷ２、ＳＷ４、ＳＷ５を切り替えることにより、基端子部Ｔ２Ｓ、Ｔ４Ｓ、Ｔ５ＳそれぞれとＢ相選択端子部Ｔ２Ｂ、Ｔ４Ｂ、Ｔ５Ｂそれぞれとを電気的につなぐ状態に切り替え可能に構成される。これにより、第１パソコン３１２、第１テレビ３１４、冷蔵庫３１５それぞれは、Ｂ相ＰＢにより電力が供給される構成からＡ相ＰＡにより電力が供給される構成に切り替えることができる。
【０１３３】
本実施形態における電力監視システムＳは、判定部としてのバランス判定部７４３及び制御部としてのスイッチ制御部７４４を備える。
バランス判定部７４３は、第２記憶部７３５により記憶される各端末装置の電流値を各電力供給相ＰＡ、ＰＢごとに加算すると共に各電力供給相ＰＡ、ＰＢにおける加算結果を比較して、各電力供給相ＰＡ、ＰＢ同士における消費電力量の不均衡を判定する。
本実施形態においては、バランス判定部７４３は、Ａ相ＰＡにおいては、第２記憶部７３５に記憶されるＡ相ＰＡにより電力が供給される第１エアコン３１１、電灯３１３それぞれに流れる電流値Ｉ２１１、Ｉ２１３それぞれを加算する。また、バランス判定部７４３は、Ｂ相ＰＢにおいては、第２記憶部７３５に記憶されるＢ相ＰＢにより電力が供給される第１パソコン３１２、第１テレビ３１４、冷蔵庫３１５それぞれに流れる電流値Ｉ２１２、Ｉ２１４、Ｉ２１５それぞれを加算する。
【０１３４】
また、バランス判定部７４３は、Ａ相ＰＡにおける電流値の加算結果及びＢ相ＰＢにおける電流値の加算結果を比較して、Ａ相ＰＡ及びＢ相ＰＢ同士における消費電力量の不均衡を判定する。具体的には、バランス判定部７４３は、Ａ相ＰＡにおける電流値の加算結果及びＢ相ＰＢにおける電流値の加算結果の割合が所定の閾値を超えた場合に、Ａ相ＰＡ及びＢ相ＰＢ同士における消費電力量が不均衡であると判定することができる。例えば、バランス判定部７４３は、Ａ相ＰＡ又はＢ相ＰＢにおけるいずれか大きい電流値の加算結果に対してＡ相ＰＡ又はＢ相ＰＢにおけるいずれか小さい電流値の加算結果の割合が６０％未満である場合に、Ａ相ＰＡ及びＢ相ＰＢ同士における消費電力量の不均衡を判定するように閾値を設定して判定することもできる。
【０１３５】
バランス判定部７４３による判定結果の信号は、スイッチ制御部７４４に出力される。
【０１３６】
スイッチ制御部７４４には、バランス判定部７４３による判定結果の信号が入力される。
スイッチ制御部７４４は、バランス判定部７４３の判定結果に基づいて、エアコン切り替え部９０１、第１パソコン切り替え部９０２、電灯切り替え部９０３、第１テレビ切り替え部９０４、冷蔵庫切り替え部９０５それぞれを制御する。具体的には、スイッチ制御部７４４は、バランス判定部７４３からＡ相ＰＡ及びＢ相ＰＢ同士における消費電力量が不均衡であるとの判定結果の信号が入力された場合に、エアコン切り替え部９０１、第１パソコン切り替え部９０２、電灯切り替え部９０３、第１テレビ切り替え部９０４、冷蔵庫切り替え部９０５を切り替えて、Ａ相ＰＡ及びＢ相ＰＢ同士における電流値の加算結果が不均衡にならないように制御する。
【０１３７】
例えば、スイッチ制御部７４４は、Ｂ相ＰＢにおける電流値の加算結果がＡ相ＰＡにおける電流値の加算結果と比べて大きいことにより消費電力が不均衡であると判定された場合には、電流値の加算結果が大きいＢ相ＰＢにより電力が供給されている端末装置を、電流値の加算結果が小さいＡ相ＰＡにより電力が供給されるように、切り替え部９０１、９０２、９０３、９０４、９０５を切り替えることにより制御する。
【０１３８】
次に、本実施形態における作用について説明する。
代表例として、図８により、第１部屋Ｒ１における構成の場合について説明する。
図８に示すように、本実施形態においては、Ａ相ＰＡに第１エアコン３１１及び電灯３１３が接続されると共にＢ相ＰＡに第１パソコン３１２、第１テレビ３１４及び冷蔵庫３１５が接続されている。
この場合において、バランス判定部７４３は、Ａ相ＰＡにおける電流値の加算結果及びＢ相ＰＢにおける電流値の加算結果を比較して、Ａ相ＰＡ及びＢ相ＰＢ同士における消費電力量の不均衡を判定する。
【０１３９】
例えば、バランス判定部７４３は、Ｂ相ＰＢにおける電流値の加算結果に対してＡ相ＰＡにおける電流値の加算結果の割合が６０％未満である場合に、各電力供給相同士における消費電力量の不均衡であると判定する。
この場合、バランス判定部７４３は、各電力供給相同士における消費電力量の不均衡である判定結果の信号をスイッチ制御部７４４に対して出力する。
【０１４０】
バランス判定部からの判定結果に基づく信号が入力されたスイッチ制御部７４４は、バランス判定部７４３がＢ相ＰＢにおける電流値の加算結果に対してＡ相ＰＡにおける電流値の加算結果の割合が６０％未満であるとの判定しているので、Ｂ相ＰＢにおける消費電力が大きいことから、Ｂ相ＰＢにより電力が供給されている第１テレビ３１４を第１テレビ切り替え部９０４によりＡ相ＰＡにより電力が供給されるように切り替えることができる。
【０１４１】
具体的は、第１テレビ切り替え部９０４は、スイッチ部ＳＷ４がＢ相選択端子部Ｔ４Ｂに接続されている状態からＡ相選択端子部Ｔ４Ａに接続されるように切り替える。これにより、第１テレビ３１４は、Ｂ相ＰＢにより電力が供給される構成からＡ相ＰＡにより電力が供給される構成になる。従って、Ａ相ＰＡ及びＢ相ＰＢ同士における消費電力の不均衡を簡易に調整することができる。
【０１４２】
なお、本実施形態においては、スイッチ制御部７４４は、第１テレビ切り替え部９０４を制御するとしているが、これに限定されない。スイッチ制御部７４４は、バランス判定部７４３の判定結果に基づいて、第１パソコン切り替え部９０２、第１テレビ切り替え部９０４、冷蔵庫切り替え部９０５を適宜選択することにより、端末装置群３００それぞれに電力を供給する電力供給相ＰＡ、ＰＢを一の電力供給相から他の電力供給相に切り替えるように各電力供給相ＰＡ、ＰＢにおける消費電力量が不均衡にならないように制御することができる。
【０１４３】
以上、説明した第３実施形態の電力監視システムＳによれば、以下のような効果を奏する。
本実施形態によれば、複数の電力供給ラインＬそれぞれに対して１つ配置され、複数の端末装置それぞれに電力を供給する電力供給相ＰＡ、ＰＢを一の電力供給相から他の電力供給相に切り替え可能な複数の切り替え部９０１、９０２、９０３、９０４、９０５と、第２記憶部７３５により記憶される電流値群Ｉ２００を各電力供給相ＰＡ、ＰＢごとに加算すると共に各電力供給相ＰＡ，ＰＢにおける加算結果値を比較して、各電力供給相ＰＡ、ＰＢ同士における消費電力量の不均衡を判定するバランス判定部７４３と、バランス判定部７４３による判定結果に基づいて、切り替え部９０１、９０２、９０３、９０４、９０５を制御するスイッチ制御部７４４と、を備える。そのため、端末装置群３００により消費される電流値群Ｉ２００を計測するだけで、１つの電力供給エリア内の電力供給相としてのＡ相ＰＡ及びＢ相ＰＢ同士における消費電力の不均衡を簡易に調整できる。
特に、１つの電力供給エリア内の電力供給相としてのＡ相ＰＡ及びＢ相ＰＢ同士における消費電力に不均衡が生じた場合には、力率が悪化して電力損失が大きくなる。そのため、負荷としての端末装置群３００を効率的に分散することができる本発明の電力監視システムＳにおける効果は大きい。本発明の電力監視システムＳは、Ａ相ＰＡ及びＢ相ＰＢ同士における消費電力の不均衡を簡易に調整することより、力率の改善を図ることができる。その結果、１つの供給エリア内における電力損失を軽減することができる。
【０１４４】
次に、図９により、第４実施形態に係る電力監視システムＳについて説明する。図９は、第４実施形態における電力監視システムＳの機能ブロック図である。
第４実施形態については、主として、第１実施形態と異なる点を説明し、第１実施形態と同様の構成については、詳しい説明を省略する。特に説明しない点は、第１実施形態についての説明が適宜適用される。
【０１４５】
第４実施形態においては、図９により、第１部屋Ｒ１における構成を例に説明する。
図９に示すように、第４実施形態における電力監視システムＳは、第１実施形態と異なり、三相３線式の配電方式による第１電力供給部１１０により第１部屋Ｒ１に電力を供給している。三相３線式の配電方式においては、三相交流電力それぞれを３本の電線により供給する。具体的には、本実施形態の電力監視システムＳにおいては、電力供給部１１０は、Ｒ相ＰＲ、Ｓ相ＰＳ及びＴ相ＰＴの三相による三相交流により電力を供給する。
【０１４６】
本実施形態の電力監視システムＳは、第１部屋Ｒ１に配置されたポンプ３５１と、三相交流電力を三相ＰＲ、ＰＳ、ＰＴにより供給する電力供給部１１０と、積算電力量計５１０と、積算電力量計５１０とポンプ３５１とを電気的につなぐ電線群２００と、電力監視装置１と、を備える。
【０１４７】
電力供給部１１０は、電線２１０ａを介して積算電力量計５１０に接続される。積算電力量計５１０は、電線２１０ｂ及び電線２５１Ｒ、２５１Ｓ、２５１Ｔを介してポンプ３５１における動力源としてのモータに接続される。電線２１０ｂ及び電線２５１Ｒ、２５１Ｓ、２５１Ｔそれぞれは、電力供給部１１０からポンプ３５１までの電力供給ラインを構成する。
【０１４８】
ポンプ３５１には、電線２５１Ｒ、２５１Ｓ、２５１Ｔそれぞれを介してＲ相ＰＲ、Ｓ相ＰＳ、Ｔ相ＰＴのそれぞれの電力供給相により電力が供給される。
ポンプ３５１におけるモータは、Ｒ相ＰＲ、Ｓ相ＰＳ、Ｔ相ＰＴの全ての電力供給相により電力が供給されることにより、動作する。
【０１４９】
電線２５１Ｒ、２５１Ｓ、２５１Ｔそれぞれには、クランプ式電流計６５１、６５２、６５３それぞれが接続される。クランプ式電流計６５１、６５２、６５３それぞれから出力された電流値Ｉ２５１Ｒ、Ｉ２５１Ｓ、Ｉ２５１Ｔそれぞれは、第２入力部７２０に入力される。第２入力部７２０により入力された電流値Ｉ２５１Ｒ、Ｉ２５１Ｓ、Ｉ２５１Ｔそれぞれは、第２記憶部７３５に記憶される。
【０１５０】
本実施形態における電力監視システムＳは、故障検知部７４５及び故障報知部７４６を備える。
故障検知部７４５は、第２記憶部７３５に記憶された電流値Ｉ２５１Ｒ、Ｉ２５１Ｓ、Ｉ２５１Ｔに基づいてポンプ３５１の故障を検知する。具体的には、故障検知部７４５は、例えば、第２記憶部７３５に記憶された電流値Ｉ２５１Ｒが他の電流値Ｉ２５１Ｓ、Ｉ２５１Ｔと比較して一定の範囲より大きい場合や小さい場合に故障を検知する。あるいは、第２記憶部７３５に記憶された電流値Ｉ２５１Ｒを、第２記憶部７３５に記憶された正常時における電流値Ｉ２５１Ｒと比較して、一定の範囲より大きい場合や小さい場合にポンプ３５１の故障を検知する。
故障検知部７４５は、ポンプ３５１における故障の検知信号を故障報知部７４６に出力する。
【０１５１】
故障報知部７４６には、故障検知部７４５から出力された検知信号が入力される。故障報知部７４６は、故障検知部７４５から入力された信号に基づいて、結果表示部７５０にポンプ３５１の故障に関する情報を表示させる。
【０１５２】
本実施形態においては、第２記憶部７３５に記憶されたポンプ３５１に接続された３本の電線２５１Ｒ、２５１Ｓ、２５１Ｔそれぞれに流れる電流値Ｉ２５１Ｒ、Ｉ２５１Ｓ、Ｉ２５１Ｔそれぞれを比較する。例えば、故障検知部７４５は、電線２５１Ｒに流れる電流値Ｉ２５１Ｒが、電線２５１Ｓに流れる電流値Ｉ２５１Ｓ又は電線２５１Ｔに流れる電流値Ｉ２５１Ｔに比べて１０分の１である場合に検知する構成とする。
この場合、故障検知部７４５により故障が検知されると、故障報知部７４６に検知信号が出力される。故障報知部７４６は、故障検知部７４５により入力された検知信号により、結果表示部７５０にポンプ３５１の故障に関する情報を表示させる。
【０１５３】
以上、説明した第４実施形態の電力監視システムＳによれば、以下のような効果を奏する。
本実施形態によれば、第２記憶部７３５に記憶された電力供給相としてのＲ相ＰＲ、Ｓ相ＰＳ、Ｔ相ＰＴにおける電流値Ｉ２５１Ｒ、Ｉ２５１Ｓ、Ｉ２５１Ｔに基づいて、ポンプ３５１の故障を検知する故障検知部７４５を備える。そのため、電流値Ｉ２５１Ｒ、Ｉ２５１Ｓ、Ｉ２５１Ｔを計測するだけで、ポンプ３５１におけるモータ等の動力系の異常、劣化、磨耗等の故障を簡易に検知することができる。
【０１５４】
以上、本形態の好適な実施形態について説明したが、本発明は上述した実施形態に限定されることなく種々の形態で実施することができる。例えば、本実施形態において、ビルＢの所定の部屋Ｒ１、Ｒ２、Ｒ３における積算電力量計の総電力値を入力しているが、計測対象はこれに限定されず、一戸建て全体や、工場における所定のライン等であってもよい。
【０１５５】
また、第１実施形態及び第２実施形態において、配電方式を単相３線式としているが、これに限定されない。例えば、三相３線式の配電方式であってもよい。三相３線式の配電方式の場合であっても、電力値Ｐは、電圧値をＶ、電流値をＩ、力率をｃｏｓθとすると、Ｐ＝√３×ＶＩｃｏｓθで与えられるが、各端末装置の電圧値Ｖ及び力率ｃｏｓθを一定とみなすことで、前述の実施形態と同様の効果を得ることが出来る。
【０１５６】
また、第１実施形態から第４実施形態において、第１記憶部７３１、第２記憶部７３５及び第３記憶部７３６は、電力監視装置１の中に一体として構成されているが、これに限定されない。例えば、図１０に示すように、第１記憶部７３１、第２記憶部７３５及び第３記憶部７３６は、電力監視装置１とは別体として全てが電力監視装置１の外に配置される構成であってもよいし、一部が電力監視装置１の外に配置される構成でもよい。
また、結果表示部７５０は、電力監視装置１の中に一体として構成されているが、これに限定されない。例えば、結果表示部７５０は、電力監視装置１の外に配置される構成であってもよい。なお、結果表示部７５０は、電力監視装置１の外において記憶部と一体として構成されていてもよい。
【０１５７】
また、第４実施形態において、端末装置をポンプ３５１としているが、これに限定されない。
【０１５８】
また、本実施形態において、積算電力量計５１０、５２０、５３０の計測表示部８００の形式においても、上述の形式に限定されず、例えば、計測値を表示可能であれば表示の仕方は特に限定されない。
【０１５９】
また、本実施形態において、電流計測部を直接電流値が出力されるクランプ式電流計群６００としているがこれに限定されない。例えば、電流計測部は、電線をクランプするクランプ部材を有し、クランプ部材の出力値から電流値へ変換する構成を電力監視装置本体１ａが備えていてもよい。
【符号の説明】
【０１６０】
１  電力監視装置
１１０  第１電力供給部
１２０  第２電力供給部
１３０  第３電力供給部
２００  電線群
２１０  電線群
２２０  電線群
２３０  電線群
３００  端末装置群
３１０  第１端末装置群
３２０  第２端末装置群
３３０  第３端末装置群
５００  積算電力量計群
５１０  第１積算電力量計
５２０  第２積算電力量計
５３０  第３積算電力量計
６００  クランプ式電流計群（電流計測部群）
７１０  第１入力部
７２０  第２入力部
７３１  第１記憶部
７３５  第２記憶部
７４１  処理部
Ｐ１  総電力値
Ｐ２  総電力値
Ｐ３  総電力値
Ｓ  電力監視システム
【図１Ａ】
2010276408.tif 000003
【図１Ｂ】
2010276408.tif 000004
【図２】
2010276408.tif 000005
【図３】
2010276408.tif 000006
【図４】
2010276408.tif 000007
【図５】
2010276408.tif 000008
【図６】
2010276408.tif 000009
【図７】
2010276408.tif 000010
【図８】
2010276408.tif 000011
【図９】
2010276408.tif 000012
【図１０】
2010276408.tif 000013